(57)【要約】【課題】ノイズの影響が少ない信頼性の高い分光データを作成することができる分光測定方法を提供すること。【解決手段】強度の大きな波長領域Ａについては、短い露光時間ＴＡを設定して強度データの飽和を防止できるようにし、強度の小さな波長領域Ｂについては、長い露光時間ＴＢを設定して十分な強度データを取得できるようにする。異なる露光時間ＴＡ，ＴＢの下で取得された各強度データを、同一露光時間の強度データに変換した上で組み合わせて、分光データを作成する。【選択図】図７
2007183153.tif 000002
【特許請求の範囲】
【請求項１】
光の強度を各波長ごとに測定する分光測定方法であって、
各波長ごとに設定される露光時間の下で光の強度測定を行い、当該各波長ごとに光の強度データを取得する強度データ取得ステップと、
異なる露光時間で取得された各波長ごとの前記強度データを、同一露光時間の強度データに変換する強度データ変換ステップと、
変換された前記強度データに基づいて、各波長ごとの光の強度を表す分光データを作成する分光データ作成ステップと
を備えることを特徴とする分光測定方法。
【請求項２】
請求項１に記載の分光測定方法において、
前記強度データ取得ステップでは、各波長についての光の測定強度が予め設定された飽和強度以下の強度閾値に達するまでの時間を当該各波長についての前記露光時間とし、当該各波長についての光の測定強度が前記強度閾値に達した時点で、当該各波長についての光の強度測定を終了する
ことを特徴とする分光測定方法。
【請求項３】
請求項１に記載の分光測定方法において、
予め分かっている測定対象の分光特性に応じて、各波長についての前記露光時間を設定する露光時間設定ステップが設けられる
ことを特徴とする分光測定方法。
【請求項４】
請求項３に記載の分光測定方法において、
前記測定対象が画像出力装置である場合に、
前記画像出力装置に入力される画像信号を受信する画像信号受信ステップと、
受信された前記画像信号に基づいて、前記画像出力装置から出力される画像の分光特性を認識する分光特性認識ステップとが設けられ、
前記露光時間設定ステップでは、前記分光特性認識ステップにおいて認識された前記分光特性に応じて、各波長についての前記露光時間を設定する
ことを特徴とする分光測定方法。
【請求項５】
光の強度を各波長ごとに測定する分光測定プログラムであって、
コンピュータに、
各波長ごとに設定される露光時間の下で光の強度測定を行い、当該各波長ごとに光の強度データを取得する強度データ取得ステップと、
異なる露光時間で取得された各波長ごとの前記強度データを、同一露光時間の強度データに変換する強度データ変換ステップと、
変換された前記強度データに基づいて、各波長ごとの光の強度を表す分光データを作成する分光データ作成ステップと
を実行させることを特徴とする分光測定プログラム。
【請求項６】
請求項５に記載の分光測定プログラムが記録され、コンピュータによって読み取り可能であることを特徴とする記録媒体。
【請求項７】
光の強度を各波長ごとに測定する分光測定装置であって、
各波長ごとに設定される露光時間の下で光の強度測定を行い、当該各波長ごとに光の強度データを取得する強度データ取得手段と、
異なる露光時間で取得された各波長ごとの前記強度データを、同一露光時間の強度データに変換する強度データ変換手段と、
変換された前記強度データに基づいて、各波長ごとの光の強度を表す分光データを作成する分光データ作成手段と
を備えることを特徴とする分光測定装置。
【発明の詳細な説明】
【技術分野】
【０００１】
本発明は、分光測定方法，分光測定プログラム，記録媒体，分光測定装置に関する。
【背景技術】
【０００２】
光の強度を各波長ごとに測定する分光測定においては、従来、全ての波長における光の強度が同時に測定され、露光時間も全ての波長について一律に設定されていた。ここで、露光時間を長くし過ぎると、光の強度が大きな波長においては測定強度が飽和してしまうので、露光時間は、光の強度が最大の波長（ピーク波長）の測定強度が飽和しない限度において設定される必要がある。このように設定された露光時間の下では、ピーク波長のような光の強度が大きい波長については、飽和強度に近い十分な強度データを得ることができる。しかしながら、光の強度が小さい波長については、十分な強度データを得ることはできず、測定時に混入するノイズが強度データに大きな影響を及ぼしてしまう。このように、従来の分光測定においては、光の強度が小さい波長におけるノイズの影響が問題となっていた。
【０００３】
そこで、特許文献１に開示されているように、分光測定によって得られた分光データ（スペクトルデータ）からノイズを除去する方法が考案されている。具体的には、得られた分光データに対して平滑化などの各種処理を施すことにより、当該分光データに含まれているノイズの除去が行われるようになっている。
【０００４】
【特許文献１】特開平８−３１３３４６号公報
【発明の開示】
【発明が解決しようとする課題】
【０００５】
しかしながら、特許文献１の方法では、平滑化などの各種処理によって分光データに含まれるノイズを除去することができたとしても、同時に、当該各種処理によってノイズではない分光データ自身が改変されてしまうおそれがあるので、信頼性の高い分光データを得ることができないという問題がある。
【０００６】
本発明の目的は、ノイズの影響が少ない信頼性の高い分光データを作成することができる分光測定方法，分光測定プログラム，記録媒体，分光測定装置を提供することである。
【課題を解決するための手段】
【０００７】
本発明の分光測定方法は、光の強度を各波長ごとに測定する分光測定方法であって、各波長ごとに設定される露光時間の下で光の強度測定を行い、当該各波長ごとに光の強度データを取得する強度データ取得ステップと、異なる露光時間で取得された各波長ごとの前記強度データを、同一露光時間の強度データに変換する強度データ変換ステップと、変換された前記強度データに基づいて、各波長ごとの光の強度を表す分光データを作成する分光データ作成ステップとを備えることを特徴とする。
【０００８】
このような本発明の分光測定方法では、光の各波長ごとに露光時間が設定されるようになっている。すなわち、ピーク波長のような光の強度が大きい波長については、露光時間を短く設定し、光の強度が小さい波長については、露光時間を長く設定する。これによって、光の全ての波長について、飽和強度に近い十分な強度データを取得することができ、測定時に混入するノイズの影響を小さく抑えることができる。続いて、異なる露光時間で取得された各波長ごとの光の強度データを、同一露光時間の強度データに変換し、当該変換後の強度データに基づいて分光データを作成する。
以上のように、本発明の分光測定方法によれば、光の全ての波長について、飽和強度に近い十分な強度データを取得することができ、ノイズの影響を小さく抑えることができるので、最終的に、ノイズの影響が少ない信頼性の高い分光データを作成することができる。
【０００９】
本発明の分光測定方法では、前記強度データ取得ステップでは、各波長についての光の測定強度が予め設定された飽和強度以下の強度閾値に達するまでの時間を当該各波長についての前記露光時間とし、当該各波長についての光の測定強度が前記強度閾値に達した時点で、当該各波長についての光の強度測定を終了することが好ましい。
【００１０】
このような本発明の分光測定方法によれば、予め設定された強度閾値に応じて、光の各波長について強度データを取得する際の露光時間が当該各波長ごとに自動的に決まるので、ユーザ側で露光時間を設定する必要がなく、簡単に測定を行うことができる。
【００１１】
本発明の分光測定方法では、予め分かっている測定対象の分光特性に応じて、各波長についての前記露光時間を設定する露光時間設定ステップが設けられることが好ましい。
【００１２】
このような本発明の分光測定方法によれば、予め分かっている測定対象の分光特性に応じて、光の各波長について最適な露光時間を設定することができるので、効果的な測定を行うことができる。なお、測定対象の分光特性とは、測定対象の分光放射率，分光反射率、分光透過率などのことであり、特に、測定対象が画像出力装置である場合には、当該画像出力装置が出力する画像の分光放射率のことである。
【００１３】
本発明の分光測定方法では、前記測定対象が画像出力装置である場合に、前記画像出力装置に入力される画像信号を受信する画像信号受信ステップと、受信された前記画像信号に基づいて、前記画像出力装置から出力される画像の分光特性を認識する分光特性認識ステップとが設けられ、前記露光時間設定ステップでは、前記分光特性認識ステップにおいて認識された前記分光特性に応じて、各波長についての前記露光時間を設定することが好ましい。
【００１４】
このような本発明の分光測定方法によれば、測定対象としての画像出力装置に入力される画像信号に基づいて、当該画像出力装置から出力される画像の分光特性（分光放射率）を略正確に認識することができるので、光の各波長について最適な露光時間を設定することができる。
【００１５】
本発明の分光測定プログラムは、光の強度を各波長ごとに測定する分光測定プログラムであって、コンピュータに、各波長ごとに設定される露光時間の下で光の強度測定を行い、当該各波長ごとに光の強度データを取得する強度データ取得ステップと、異なる露光時間で取得された各波長ごとの前記強度データを、同一露光時間の強度データに変換する強度データ変換ステップと、変換された前記強度データに基づいて、各波長ごとの光の強度を表す分光データを作成する分光データ作成ステップとを実行させることを特徴とする。
【００１６】
本発明の記録媒体は、本発明の分光測定プログラムが記録され、コンピュータによって読み取り可能であることを特徴とする。
【００１７】
以上のような本発明の分光測定プログラム，記録媒体は、前述した本発明の分光測定方法を実施するために利用されるので、当該分光測定方法と同じ各作用・効果を奏することができる。
【００１８】
本発明の分光測定装置は、光の強度を各波長ごとに測定する分光測定装置であって、各波長ごとに設定される露光時間の下で光の強度測定を行い、当該各波長ごとに光の強度データを取得する強度データ取得手段と、異なる露光時間で取得された各波長ごとの前記強度データを、同一露光時間の強度データに変換する強度データ変換手段と、変換された前記強度データに基づいて、各波長ごとの光の強度を表す分光データを作成する分光データ作成手段とを備えることを特徴とする。
【００１９】
このような本発明の分光測定装置は、前述した本発明の分光測定方法を実施するための構成を備えているので、当該分光測定方法と同じ各作用・効果を奏することができる。
【発明を実施するための最良の形態】
【００２０】
続いて、本発明の実施形態を図面に基づいて説明する。
■１．第１実施形態
（１）分光測定装置の構成
図１は、第１実施形態の分光測定装置の構成を示す機能的ブロック図である。
分光測定装置１は、測定対象２からの光の強度を各波長ごとに測定する装置であって、測定対象２からの光を受ける受光部１１と、分光測定における全般的な制御を行う制御部１２とを備えて構成されている。なお、測定対象２は、自ら発光するもの（例えば、各種ランプ，各種ディスプレイ，プロジェクタ）であってもよいし、自ら発光しないもの（例えば、印刷物）であってもよい。ここで、自ら発光しないものが測定対象２である場合は、測定対象２を照明する光源を設けることが好ましい。この場合、分光測定装置１は、光源から照射された光のうち測定対象２において反射または透過された光を測定することになる。
【００２１】
受光部１１は、分光手段１１１と、分光検出手段１１２とを備えて構成されている。
分光手段１１１は、測定対象２からの光を各波長ごとに分ける手段であり、プリズムやグレーティングなどの分光素子によって構成されている。
分光検出手段１１２は、分光手段１１１によって各波長ごとに分けられた光を検出する手段であり、多数の光センサが整列配置された光センサアレイとして構成されている。ここで、光センサアレイを構成する各光センサは、互いに同種のものであり、それぞれ、対応する各波長の光を検出することができる。
【００２２】
制御部１２は、強度閾値設定手段１２１と、強度データ取得手段１２２と、強度データ変換手段１２３と、分光データ作成手段１２４とを備えて構成されている。
【００２３】
強度閾値設定手段１２１は、分光検出手段１１２によって検出される各波長の光について、飽和強度以下の強度閾値を設定する手段である。
ここで、飽和強度とは、分光検出手段１１２としての光センサアレイを構成する各光センサの最大出力値のことである。すなわち、各光センサの出力値が飽和強度（最大出力値）に達してしまうと、それ以上の光を受けたとしても、当該各光センサの出力値が増大することなく、飽和強度のまま維持されることになる。今、光センサアレイを構成する各光センサは互いに同種のものであるため、飽和強度は全ての光センサについて一律である。すなわち、当該光センサによって検出される光の全ての波長について、飽和強度は一律であり、以降、光の各波長についての飽和強度を百分率によって一律に１００％と表すことにする。
強度閾値設定手段１２１は、光の各波長（すなわち、当該各波長の光を検出する各光センサ）について、飽和強度１００％以下の強度閾値を設定する。強度閾値は、各波長ごとに異なる値に設定されてもよいが、本実施形態では、説明の簡素化のため、一律に９５％に設定されるものとする。ここで、強度閾値（９５％）を飽和強度（１００％）に近い値に設定したのは、後述するように、強度閾値を大きくすれば（但し、飽和強度以下）、最終的に作成される分光データにおいてノイズの影響を小さくすることができるからである。このように、強度閾値は、ノイズの影響を低減する観点からは、できる限り飽和強度閾値に近い大きな値に設定されることが好ましい。一方、後述するように、測定を迅速に行う観点からは、強度閾値は、できる限り小さい値に設定されることが好ましい。このように、強度閾値は、複数の観点を総合的に勘案して最適な値に設定されることが好ましい。
なお、強度閾値設定手段１２１によって設定される強度閾値は、分光測定装置１に初期設定値（デフォルト）として記録されているものであってもよいし、ユーザによる所定の設定変更操作に基づいて変更可能なものであってもよい。
【００２４】
強度データ取得手段１２２は、分光検出手段１１２によって検出される各波長の光について、強度閾値設定手段１２１によって設定された強度閾値に基づく露光時間の下で強度測定を行い、当該各波長ごとに光の強度データを取得する手段である。具体的には、強度データ取得手段１２２は、分光検出手段１１２によって検出される各波長の光についての測定強度が強度閾値（９５％）に達するまでの時間を当該各波長についての露光時間として光の強度測定を行い、当該各波長についての光の測定強度が強度閾値（９５％）に達した時点で、当該各波長についての光の強度測定を終了する。そして、当該各波長についての強度測定終了時点での光の測定強度が、当該各波長についての光の強度データとして取得される。以上のような光の強度データの取得において、測定強度が強度閾値に達するまでの時間は各波長ごとに異なっているため、露光時間も各波長ごとに異なっている。
【００２５】
強度データ変換手段１２３は、強度データ取得手段１２２によって異なる露光時間で取得された各波長ごとの光の強度データを、同一露光時間の強度データに変換する手段である。なお、変換のための具体的な式については後述する。
【００２６】
分光データ作成手段１２４は、強度データ変換手段１２３によって変換された各波長ごとの光の強度データに基づいて、測定対象２からの光の各波長ごとの強度を表す分光データを作成する手段である。
【００２７】
分光データ作成手段１２４によって作成された分光データは、測定結果出力装置３によって出力される。測定結果出力装置３としては、例えば、画像出力を行うディスプレイや、印刷出力を行うプリンタなどを利用することができる。
【００２８】
（２）分光測定方法
続いて、以上のような構成を備える分光測定装置１によって行われる分光測定方法について説明する。
図２は、分光測定の流れを示すフローチャートである。
【００２９】
Ｓ１では、強度閾値設定手段１２１が、分光検出手段１１２によって検出される各波長の光について、飽和強度１００％以下の強度閾値を設定する。前述したように、本実施形態では、強度閾値は、全ての波長の光について一律に９５％と設定される。
【００３０】
Ｓ２では、強度データ取得手段１２２が、分光検出手段１１２によって検出される各波長の光について、Ｓ１において設定された強度閾値に基づく露光時間の下で強度測定を行い、当該各波長ごとに光の強度データを取得する。
図３は、強度データの取得（Ｓ２）の流れを示すフローチャートである。
【００３１】
Ｓ３では、各波長の光についての強度測定が開始される。具体的には、受光部１１に設けられているシャッター（図示省略）が開かれることによって、受光部１１における受光が開始され、分光検出手段１１２における各波長の光についての強度測定が一斉に開始される。
【００３２】
Ｓ４において、分光検出手段１１２における光の測定強度が強度閾値９５％に達した波長がある（Ｙｅｓ）と判定されると、Ｓ５では、当該波長についての強度測定が終了される。
【００３３】
そして、Ｓ６では、Ｓ３において当該波長についての強度測定が開始されてからＳ５において当該波長についての強度測定が終了されるまでの間における分光検出手段１１２による当該波長についての光の測定強度が、当該波長についての光の強度データとして取得される。ここで、Ｓ５において当該波長についての光の強度測定が終了するのは、測定強度が強度閾値９５％に達したときであるので、Ｓ６において取得される強度データは、強度閾値と等しく９５％である。特に、本実施形態では、強度閾値が全ての波長について一律に９５％と設定されているので、全ての波長について繰り返し行われるＳ６において取得される各波長についての光の強度データは、一律に９５％となる。
【００３４】
続くＳ７では、当該波長についての強度測定時間、すなわち、Ｓ３において当該波長についての強度測定が開始されてからＳ５において当該波長についての強度測定が終了されるまでの時間が、当該波長についての露光時間として記録される。
【００３５】
このように、Ｓ６，Ｓ７では、測定強度が強度閾値９５％に達することによりＳ５において強度測定が終了された波長について、強度データが取得され、露光時間が記録されるようになっている。以降、全ての波長についてＳ５において強度測定が終了され、Ｓ６において強度データが取得され、Ｓ７において露光時間が記録されるまで（Ｓ８：Ｙｅｓ）、Ｓ４〜Ｓ７の処理が繰り返し行われる。そして、全ての波長について強度測定が終了された（Ｓ８：Ｙｅｓ）時点で、受光部１１に設けられているシャッター（図示省略）が閉じられ、強度データの取得（Ｓ２）が終了する。
【００３６】
ここで、以上のような強度データの取得（Ｓ２）の流れ（図３）について、例を挙げて説明する。図４は、強度データ取得の際に分光検出手段１１２によって検出される各波長λごとの光の強度の例を示す。この図の時点では、λ１≦λ≦λ２の範囲のλについては、既に測定強度が強度閾値９５％に達しており（Ｓ４：Ｙｅｓ）、強度測定が終了した状態になっている（Ｓ５）。特に、この図の時点では、λ＝λ１，λ２についての測定強度がちょうど強度閾値９５％に達したところであり（Ｓ４：Ｙｅｓ）、ちょうど当該波長λ１，λ２についての強度測定が終了され（Ｓ５）、強度データ（＝強度閾値９５％）が取得され（Ｓ６）、露光時間が記録される（Ｓ７）ところである。また、この図の時点では、λ＜λ１，λ＞λ２の範囲のλについては、測定強度が強度閾値９５％に達しておらず（Ｓ４：Ｎｏ）、強度測定が継続される。そして、強度測定を継続する間に測定強度が強度閾値９５％に達した（Ｓ４：Ｙｅｓ）波長λについては、順次、強度測定が終了され（Ｓ５）、強度データ（＝強度閾値９５％）が取得され（Ｓ６）、露光時間が記録される（Ｓ７）ようになっており、最終的に全ての波長λについて測定強度が強度閾値９５％に達した時点で強度データの取得（Ｓ２）が終了する。この例からも分かるように、強度データの取得（Ｓ２）において、測定強度が強度閾値９５％に達するまでの時間、すなわち、露光時間は、各波長λごとに異なっている。
【００３７】
以上のような強度データの取得（Ｓ２）が終了すると、Ｓ９（図２）において、強度データ変換手段１２３が、Ｓ２において異なる露光時間で取得された各波長ごとの光の強度データを、同一露光時間Ｔ０の強度データに変換する。具体的には、次の式１によって、Ｓ２において取得された波長λについての変換前の強度データＳ（λ）を、波長λについての変換後の強度データφ（λ）に変換する。
【００３８】
φ（λ）＝Ｋ（λ）・｛Ｓ（λ）−Ｎ（λ）｝・｛Ｔ０／Ｔ（λ）｝・・・（式１）
【００３９】
式１において、Ｋ（λ）は、分光測定装置１を強度校正する際に得られる波長λについての強度校正値，Ｎ（λ）は、遮光状態の分光測定装置１において、強度データ取得（Ｓ２）時と同じ波長λごとの露光時間Ｔ（λ）の下で強度データ取得手段１２２によって取得される強度データ（暗電流データ），Ｔ（λ）は、Ｓ７において記録された波長λについての露光時間，Ｔ０は、分光測定装置１を強度校正する際の露光時間をそれぞれ表している。このように、式１は、波長λについての露光時間Ｔ（λ）と、共通の露光時間Ｔ０との比Ｔ０／Ｔ（λ）を含んでいるので、Ｓ２において異なる露光時間Ｔ（λ）の下で取得された各波長λごとの光の強度データＳ（λ）を、同一露光時間Ｔ０の強度データφ（λ）へと変換することができる。
【００４０】
Ｓ１０では、分光データ作成手段１２４が、Ｓ９において変換された各波長λごとの光の強度データφ（λ）を組み合わせて、同一露光時間Ｔ０の下での測定対象２からの光の各波長λごとの強度を表す分光データを作成する。
最後に、Ｓ１１では、測定結果出力装置３が、Ｓ１０において作成された分光データを出力する。
【００４１】
以上のような第１実施形態によれば、Ｓ２において測定対象２からの光の全ての波長λについて飽和強度（１００％）に近い十分な強度データ（９５％）を取得することができ、当該強度データに対するノイズの影響を小さく抑えることができるので、Ｓ１０においてノイズの影響が少ない信頼性の高い分光データを作成することができる。
【００４２】
以上のような第１実施形態によれば、Ｓ１において設定された強度閾値（９５％）に応じて、Ｓ２において光の各波長λについて強度データを取得する際の露光時間が当該各波長λごとに自動的に決まるので、ユーザ側で露光時間を設定する必要がなく、簡単に測定を行うことができる。
【００４３】
■２．第２実施形態
（１）分光測定装置の構成
図５は、第２実施形態の分光測定装置の構成を示す機能的ブロック図である。
第２実施形態では、画像信号入力装置２１から入力される画像信号に基づいて画像を出力するディスプレイやプロジェクタなどの画像出力装置２が測定対象である。第２実施形態に係る分光測定装置１は、図１に示される第１実施形態に係る分光測定装置１と比較して、制御部１２の構成が相違している。すなわち、第２実施形態に係る制御部１２は、第１実施形態に係る制御部１２における強度閾値設定手段１２１の代わりに、画像信号受信手段１２５と、分光特性認識手段１２６と、露光時間設定手段１２７とを備えて構成されている。
【００４４】
画像信号受信手段１２５は、画像出力装置２に入力される画像信号を画像信号入力装置２１から受信する手段である。
分光特性認識手段１２６は、画像信号受信手段１２５によって受信された画像信号に基づいて、画像出力装置２から出力される画像の分光特性（分光放射率）を認識する手段である。
露光時間設定手段１２７は、分光特性認識手段１２６によって認識された分光特性に応じて、強度データ取得手段１２２によって各波長についての光の強度データを取得する際における当該各波長についての露光時間を設定する手段である。
【００４５】
（２）分光測定方法
続いて、以上のような構成を備える分光測定装置１によって行われる分光測定方法について説明する。
図６は、分光測定の流れを示すフローチャートである。
【００４６】
Ｓ１２では、画像信号受信手段１２５が、画像出力装置２に入力される画像信号を画像信号入力装置２１から受信する。
【００４７】
Ｓ１３では、分光特性認識手段１２６が、Ｓ１２において受信された画像信号に基づいて、画像出力装置２から出力される画像の分光特性を認識する。具体的には、分光特性認識手段１２６は、画像出力装置２から出力される画像に含まれる各波長の光の強度を認識する。例えば、Ｓ１２において受信された画像信号が画像出力装置２に赤の単色画像を出力させるようなものである場合、分光特性認識手段１２６は、当該画像信号に基づいて画像出力装置２から赤の単色画像が出力されることを認識することができ、当該単色画像に含まれる各波長のうち、赤の波長領域に属する波長の光の強度が大きく、それ以外の波長領域に属する波長の光の強度が小さいということなどを認識することができる。
【００４８】
Ｓ１４では、露光時間設定手段１２７が、Ｓ１３において認識された画像の分光特性に応じて、各波長についての光の強度データを取得する際における当該各波長についての露光時間を設定する。ここで、露光時間は、各波長の光の強度測定を行う際に、当該各波長について飽和しない限度において十分な強度データが得られるような時間として設定される。大雑把に言えば、Ｓ１３において認識された画像の分光特性において、光の強度が大きいと認識された波長については強度データの飽和を防止するために露光時間が短く設定され、光の強度が小さいと認識された波長については十分な強度データを得るために露光時間が長く設定される。
【００４９】
図７は、Ｓ１３において認識された画像の分光特性と、当該分光特性に応じてＳ１４において設定された露光時間との例を示す。この図は、Ｓ１２において受信された画像信号が赤の単色画像に対応するものである場合の図であり、Ｓ１３において認識された当該赤の単色画像の分光特性が示されている。この図の分光特性は、強度の大きい波長領域Ａと、強度の小さい波長領域Ｂとに分けることができる。そして、Ｓ１４では、露光時間設定手段１２７が、波長領域Ａに属する波長については短い露光時間ＴＡを設定し、波長領域Ｂに属する波長については長い露光時間ＴＢを設定する（ＴＡ＜ＴＢ）。
【００５０】
続くＳ２（図６）では、強度データ取得手段１２２が、Ｓ１４において各波長ごとに設定された露光時間の下で光の強度測定を行い、当該各波長ごとに光の強度データを取得する。
図８は、強度データの取得（Ｓ２）の流れを示すフローチャートである。
【００５１】
Ｓ３では、各波長の光についての強度測定が開始される。
Ｓ１５において、測定時間がＳ１４において設定された露光時間に達した波長がある（Ｙｅｓ）と判定されると、Ｓ５では、当該波長についての強度測定が終了される。
そして、Ｓ６では、Ｓ３において当該波長についての強度測定が開始されてからＳ５において当該波長についての強度測定が終了されるまでの間における当該波長についての光の測定強度が、当該波長についての光の強度データとして取得される。
以降、全ての波長についてＳ５において強度測定が終了され、Ｓ６において強度データが取得されるまで（Ｓ８：Ｙｅｓ）、Ｓ１５〜Ｓ６の処理が繰り返し行われる。そして、全ての波長について強度測定が終了された（Ｓ８：Ｙｅｓ）時点で、強度データの取得（Ｓ２）が終了する。
【００５２】
ここで、以上のような強度データの取得（Ｓ２）の流れ（図８）を、図７の例について説明する。図７の例において、設定された露光時間は、波長領域ＡについてのＴＡと、波長領域ＢについてのＴＢとである（ＴＡ＜ＴＢ）。
【００５３】
まず、Ｓ３において各波長の光についての強度測定が開始されてから露光時間ＴＡが経過するまでは、Ｓ１５における判定はＮｏのままである。
【００５４】
そして、測定時間が露光時間ＴＡに達すると、Ｓ１５における判定がＹｅｓとなり、波長領域Ａに属する各波長について、Ｓ５において強度測定が終了され、Ｓ６において強度データが取得される。図９は、測定時間が露光時間ＴＡに達した時点における各波長ごとの測定強度を示す（なお、測定強度は、模式化されて折れ線状に表示されている）。前述したように、波長領域Ａに属する各波長については、この図の時点における測定強度が、当該各波長についての光の強度データとして取得される。なお、この図の時点では、波長領域Ａに属する各波長の測定強度（強度データ）は、ノイズの影響を受けない程度の十分に大きな値となっており、また、当該波長領域Ａにおける測定強度（強度データ）のピークＰＡは、飽和強度（１００％）に達していない。
【００５５】
さらに、測定時間が露光時間ＴＢに達すると、Ｓ１５における判定がＹｅｓとなり、波長領域Ｂに属する各波長について、Ｓ５において強度測定が終了され、Ｓ６において強度データが取得される。図１０は、測定時間が露光時間ＴＢに達した時点における各波長ごとの測定強度を示す。前述したように、波長領域Ｂに属する各波長については、この図の時点における測定強度が、当該各波長についての光の強度データとして取得される。なお、この図の時点では、波長領域Ｂに属する各波長の測定強度（強度データ）は、ノイズの影響を受けない程度の十分に大きな値となっており、また、当該波長領域Ｂにおける測定強度（強度データ）のピークＰＢは、飽和強度（１００％）に達していない。また、この図の時点では、波長領域Ａにおいて測定強度の飽和している波長が存在する。しかしながら、波長領域Ａについては、測定時間がＴＡに達した時点（図９）で強度データが取得されているので、この図の時点で測定強度が飽和してしまっていても、以降の処理には何らの悪影響も及ぼさない。
【００５６】
以上のように、波長領域ＡおよびＢについての強度データの取得が終了すると（Ｓ８：Ｙｅｓ）、強度データの取得（Ｓ２）が終了する。
【００５７】
以上のような強度データの取得（Ｓ２）が終了すると、Ｓ９（図６）において、強度データ変換手段１２３が、Ｓ２において異なる露光時間（図７の例では、ＴＡおよびＴＢ）で取得された各波長ごとの光の強度データを、同一露光時間の強度データに変換する。なお、具体的な変換式は、第１実施形態と同じ式１である。但し、第１実施形態とは異なり、式１におけるＴ（λ）は、Ｓ１４において設定された露光時間である。
Ｓ１０では、分光データ作成手段１２４が、Ｓ９において変換された各波長ごとの光の強度データを組み合わせて、同一露光時間Ｔ０の下での測定対象２からの光の各波長ごとの強度を表す分光データを作成する。
最後に、Ｓ１１では、測定結果出力装置３が、Ｓ１０において作成された分光データを出力する。
【００５８】
以上のような第２実施形態によれば、測定対象としての画像出力装置２に入力される画像信号に基づいて、当該画像出力装置２から出力される画像の分光特性（分光放射率）を略正確に認識することができるので、光の各波長について最適な露光時間を設定することができ、効果的な測定を行うことができる。
【００５９】
本発明は、以上の各実施形態によって限定されるものではなく、本発明の目的を達成できる範囲内において当該各実施形態を変形したものであれば、本発明の技術的範囲に含まれる。
【００６０】
前記第１実施形態では、強度閾値設定手段１２１によって設定される強度閾値が全ての波長について一律の値（９５％）であったが、各波長ごとに異なる値であってもよい。この場合、各波長の測定上の重要度に応じて強度閾値を設定することが好ましい。すなわち、重要度の高い波長については、飽和強度（１００％）に近い十分に大きな強度データを取得してノイズの影響を小さくする必要があるので、強度閾値を大きな値（但し、飽和強度以下）に設定し、重要度の低い波長については、多少のノイズの影響があっても測定結果に大きな影響が及ばないので、強度閾値を小さな値に設定することが好ましい。このように強度閾値を設定すれば、強度閾値を高く設定した重要度の高い波長については、ノイズの影響を小さくして測定精度を高くすることができると同時に、強度閾値を低く設定した重要度の低い波長については早期に強度測定を終了することができるので、測定を迅速に行うことができる。なお、各波長の測定上の重要度は、測定の目的に応じて変わってくるものである。例えば、人間の目の感度特性を意識した分光測定においては、人間の目の感度特性上重要な波長を重要度が高い波長として強度閾値を高く設定すればよい。ここで、人間の目の感度特性上重要な波長としては、例えば、図１１に示される３つの等色関数における各ピーク波長（446,555,600nm）が挙げられる。
【００６１】
前記第１実施形態では、全ての波長について測定強度が強度閾値に達するまで強度測定が継続されていたが、前述したような重要度が高い波長についての測定強度が強度閾値に達して十分な強度データが取得された時点で、その他の重要度が低い波長についての測定強度が強度閾値に達していなくても、全ての波長についての強度測定を終了するようにしてもよい。この場合、測定強度が強度閾値に達しないまま強度測定が終了された（重要度の低い）波長については、強度測定終了時点での測定強度（＜強度閾値）が強度データとして取得される。このようにすれば、重要度が高い波長について十分な強度データが取得された時点で全ての波長についての強度測定を終了することができるので、測定を迅速に行うことができる。
【００６２】
前記第２実施形態では、測定対象が画像出力装置２である場合に、画像出力装置２に入力される画像信号に基づいて出力画像の分光特性を認識して各波長についての露光時間を設定していたが、測定対象が画像出力装置でなくても、同様のことを行うことができる。例えば、測定対象が赤の単色の印刷物である場合は、画像出力装置２から赤の単色画像が出力される場合（図７）と同様に露光時間の設定を行うことができる。この場合、測定対象２が赤の単色の印刷物であるという測定対象２についての分光特性情報を分光測定装置１に入力し、露光時間設定手段１２７が当該分光特性情報に応じて各波長についての露光時間を設定するようにすればよい。
【００６３】
前記第２実施形態における図７では、分光特性を、強度の大きい波長領域Ａと、強度の小さい波長領域Ｂとに分け、当該各波長領域ごとに露光時間を設定していたが、各波長領域ごとではなく、各波長ごとに露光時間を設定するようにしてもよい。この場合、図７のような分光特性における各波長の強度に応じて、当該各波長についての露光時間を設定すればよい。すなわち、前述したように、強度の大きな波長については露光時間を短く設定し、強度の小さな波長については露光時間を長く設定すればよい。ここで、図７のような分光特性における強度と、当該強度に応じて設定される露光時間とは、減少関数の関係にある。
【００６４】
前記各実施形態では、分光測定における全般的な制御を行う制御部１２が分光測定装置１中に設けられていたが、分光測定装置１外の情報処理装置（汎用コンピュータなど）中に設けられていてもよい。この場合、分光測定装置１の構成を簡素化することができ、製造コストを低減することができる。
【産業上の利用可能性】
【００６５】
本発明は、分光測定に利用することができる。
【図面の簡単な説明】
【００６６】
【図１】本発明の第１実施形態に係る分光測定装置の構成を示す機能的ブロック図である。
【図２】第１実施形態における分光測定の流れを示すフローチャートである。
【図３】第１実施形態における強度データの取得の流れを示すフローチャートである。
【図４】第１実施形態における強度データ取得の際に分光検出手段によって検出される各波長ごとの光の強度の例を示す図である。
【図５】本発明の第２実施形態に係る分光測定装置の構成を示す機能的ブロック図である。
【図６】第２実施形態における分光測定の流れを示すフローチャートである。
【図７】第２実施形態において、分光特性認識手段によって認識された画像の分光特性と、当該分光特性に応じて露光時間設定手段によって設定された露光時間との例を示す図である。
【図８】第２実施形態における強度データの取得の流れを示すフローチャートである。
【図９】図７の例において、測定時間が露光時間ＴＡに達した時点における各波長ごとの測定強度を示す図である。
【図１０】図７の例において、測定時間が露光時間ＴＢに達した時点における各波長ごとの測定強度を示す図である。
【図１１】等色関数を示す図である。
【符号の説明】
【００６７】
１…分光測定装置，２…測定対象（画像出力装置），３…測定結果出力装置，１１…受光部，１２…制御部，２１…画像信号入力装置，１１１…分光手段，１１２…分光検出手段，１２１…強度閾値設定手段，１２２…強度データ取得手段，１２３…強度データ変換手段，１２４…分光データ作成手段，１２５…画像信号受信手段，１２６…分光特性認識手段，１２７…露光時間設定手段。
【図１】
2007183153.tif 000003
【図２】
2007183153.tif 000004
【図３】
2007183153.tif 000005
【図４】
2007183153.tif 000006
【図５】
2007183153.tif 000007
【図６】
2007183153.tif 000008
【図７】
2007183153.tif 000009
【図８】
2007183153.tif 000010
【図９】
2007183153.tif 000011
【図１０】
2007183153.tif 000012
【図１１】
2007183153.tif 000013